(57)【要約】【課題】オフセット電圧の検出した場合に、音量が所定値または所定値より低くなるように設定した音響装置を提供する。【解決手段】出力回路３に発生したオフセット電圧を検出して出力回路３を停止させることにより、スピーカ４へオフセット電圧が出力されるのを防止した音響装置であって、オフセット電圧を検出したときのボリューム値を音量調節手段２より検出して、ボリューム値が所定値かを判定し、ボリューム値が所定値以上の場合は所定値または所定値以下となるように音量調節手段２を制御するようにしたもので、オフセット電圧の検出により出力回路３が停止されたのを気付かずに音響装置の電源を再投入した場合でも、スピーカ４より大音量の音が出力されることがないため、スピーカ４の寿命に影響させたり、ユーザに不快感を与えるのを未然に防止することができる。【選択図】  図１
2004289724.tif 000002
【特許請求の範囲】
【請求項１】
出力回路に発生したオフセット電圧を検出して前記出力回路を遮断することにより、スピーカへの出力を停止するように構成した音響装置であって、オフセット電圧を検出したときのボリューム値を検出する音量調節手段と、前記音量調節手段により検出した前記ボリューム値が所定値かを判定し、前記ボリューム値が所定値以上の場合は所定値または所定値以下となるように前記音量調節手段を制御する制御手段とを備えたことを特徴とする音響装置。
【請求項２】
前記制御手段は、前記出力回路に発生したオフセット電圧を検出した時点で、前記音量調節手段のボリューム値が所定値または所定値以下となるように制御することを特徴とする請求項１に記載の音響装置。
【請求項３】
前記制御手段は、前記出力回路に発生したオフセット電圧を検出して前記出力回路が遮断された後、音響装置の電源を再投入した時点で、前記音量調節手段のボリューム値が所定値または所定値以下となるように制御することを特徴とする請求項１に記載の音響装置。
【請求項４】
前記制御手段は、前記出力回路が発生したオフセット電圧が所定時間以上継続した場合に、前記スピーカへの出力を停止するように制御することを特徴とする請求項１ないし３の何れかに記載の音響装置。
【発明の詳細な説明】
【０００１】
【発明の属する技術分野】
本発明は出力回路に発生した直流電圧（以下オフセット電圧という）を検出した場合に、音量が所定値または所定値より低くなるように設定した音響装置に関する。
【０００２】
【従来の技術】
この種の音響装置には、例えば装置内に水や金属等が浸入して、出力回路に設けられたパワーＩＣの周辺の回路がショートしたり、パワーＩＣの出力が過大になった場合、スピーカにオフセット電圧が出力されて、スピーカ寿命に影響を及ぼしたり、スピーカより大音量の音が出力されることがある。
【０００３】
このため従来の音響装置では、出力回路に発生したオフセット電圧を検出すると出力回路を遮断して、スピーカへオフセット電圧が出力されないようにした保護回路設けたものが提案されている（例えば特許文献１）。
【０００４】
【特許文献１】
特開平９−１６２６４９号公報（段落０００７）
【０００５】
前記従来のオーディオ用アンプの保護回路は、オーディオ用アンプの電源部の１次側にパワーリレーを配置して、オーディオ用アンプが電源オンの状態にあるときに、パワーアンプの出力段に流れる過大電流やオフセット電圧等を検出すると、前記パワーリレーをオフにして電源部の１次側をカットすることにより、過大電流やオフセット電圧からスピーカを保護するようにしたものである。
【０００６】
【発明が解決しようとする課題】
しかし前記従来の音響装置のように、出力回路に発生したオフセット電圧を検出することにより出力回路を遮断して、スピーカを保護するようにしたものでは、次のような問題がある。
【０００７】
すなわち音響装置を使用しているユーザは、出力回路に発生したオフセットにより出力回路が遮断されてスピーカより音が出なくなった場合、その原因が分からないことが多く、このためユーザは音を大きくしようとして、ボリュームにより音量を上げた状態で音響装置の電源を再投入することがよくあり、その結果スピーカより大音量の音が出力されるため、スピーカ寿命に影響を及ぼしたり、ユーザに不快感を与えてしまう等の問題が生じる。
【０００８】
本発明はかかる従来の問題を改善するためになされたもので、オフセット電圧を検出した場合に、音量が所定値または所定値より低くなるように設定した音響装置を提供して、スピーカが破損したり、スピーカより大音量の音が出力されるのを未然に防止することを目的とするものである。
【０００９】
【課題を解決するための手段】
前記目的を達成するため本発明の音響装置は、出力回路に発生したオフセット電圧を検出して出力回路を遮断することにより、スピーカへの出力を停止するように構成した音響装置であって、オフセット電圧を検出したときのボリューム値を検出する音量調節手段と、音量調節手段により検出しボリューム値が所定値かを判定し、ボリューム値が所定値以上の場合は所定値または所定値以下となるように音量調節手段を制御する制御手段とを備えたことを特徴とするものである。
【００１０】
前記構成により、オフセット電圧の検出により出力回路が遮断されたのを気付かずに音響装置の電源を再投入した場合でも、スピーカより大音量の音が出力されることがないため、スピーカ寿命に影響を及ぼしたり、ユーザに不快感を与えるのを未然に防止することができるようになる。
【００１１】
また、前記目的を達成するため本発明の音響装置における制御手段は、出力回路に発生したオフセット電圧を検出した時点で、前記音量調節手段のボリューム値が所定値または所定値以下となるように制御するように構成している。
【００１２】
前記構成により、オフセット電圧の検出時に音量調節手段のボリューム値が所定値または所定値以下となるため、音響装置の電源を再投入した際、再びオフセット電圧が検出されてしまう等の誤検出を防止することができる。
【００１３】
前記目的を達成するため本発明の音響装置の制御手段は、出力回路に発生したオフセット電圧を検出して出力回路が遮断された後、音響装置の電源を再投入した時点で、音量調節手段のボリューム値が所定値または所定値以下となるように制御することを特徴としている。
【００１４】
前記構成により、出力回路の遮断後にユーザが音量調節手段のボリュームを上げていても、音響装置の電源を再投入した際、再びオフセット電圧が検出されてしまう等の誤検出を防止することができる。
【００１５】
前記目的を達成するため本発明の音響装置の制御手段は、出力回路が発生したオフセット電圧が所定時間以上継続した場合に、スピーカへの出力を停止するように制御することを特徴とするものである。
【００１６】
前記構成により、出力回路に一時的に過大な信号が入力したことによりクリップが検出されても、所定時間が経過しないとスピーカへの出力が停止されないため、クリップの検出により音声が中断されるのを防止することができる。
【００１７】
【発明の実施の形態】
本発明の第１の実施の形態を、図１及び図２に示す図面を参照して詳述する。
【００１８】
図１は音響装置の構成を示すブロック図、図２は作用を示すフローチャートである。
【００１９】
図１に示す音響装置は、ラジオを受信したり、ＣＤ等のメディアを再生するソース（音源）１を有していて、ソース１より出力された音声信号は、電子ボリューム等よりなる音量調節手段２により音量が調節された後、パワーＩＣにより構成された出力回路３により増幅され、スピーカ４へ出力されるようになっている。
【００２０】
また音量調節手段２及び出力回路３は、マイクロコンピュータよりなる制御手段５に接続されていて、制御手段５により音量調節手段２の音量が調節されると共に、制御手段５は出力回路３を構成するパワーＩＣのオフセット検出ポートを常時監視していて、出力回路３に発生したオフセット電圧を検出し、オフセット電圧が所定時間以上継続した場合は、パワーＩＣのスタンバイポートを制御して出力回路３を停止すると同時に、オフセット電圧が検出された旨を表示手段６に表示するようになっている。
【００２１】
次に前記構成された音響装置の作用を、図２に示すフローチャートを参照して説明する。
【００２２】
音響装置の動作中は、制御手段５により出力回路３に発生するオフセット電圧が常時監視されており、いま何等かの理由で出力回路３にオフセット電圧が発生したのを制御手段５がステップＳ１で検出し、オフセット電圧が所定時間以上継続すると、制御手段５はステップＳ２で出力回路３を遮断させる。
【００２３】
その後ステップＳ３に進んで、オフセット電圧を検出したときのボリューム値を音量調節手段２より検出して、ボリューム値が所定値（初期値）の例えば１３以下であるかを判定し、１３以上の例えば１４から３３の範囲であればステップＳ４へ進む。
【００２４】
制御手段５は、ステップＳ４で音量調節手段２のボリューム値が所定値の１３以下となるように音量調整手段２を制御した後ステップＳ５へ進んで、オフセット電圧が検出された旨を表示手段６に表示する。
【００２５】
またステップＳ３でオフセット電圧検出時のボリューム値が１３以下と判定された場合は、そのボリューム値を保持した状態でステップＳ５へ進んで、オフセット電圧が検出された旨を表示手段６に表示する。
【００２６】
これによってユーザは表示手段６を見ることにより、何等かの理由でオフセット電圧が発生したのを認識することができるため、その原因を容易に取り除くことができるようになる。
【００２７】
一方オフセット電圧が検出されて出力回路３が停止された後ユーザが音響装置の電源を再投入した場合、ステップＳ３で予め音量調節手段２のボリューム値が所定値の例えば１３に設定されているため、出力回路３よりスピーカ４へ過大電流が出力されることがなく、これによって過大電流によりスピーカ４が破損されたり、スピーカ４より大音量の音が出力されてユーザに不快感を与えるのを未然に防止できるようになる。
【００２８】
またオフセット電圧が検出されて出力回路３が停止されたのを気付かず、もしくは気付いていても原因を取り除かずにユーザが音響装置の電源を再投入した場合、再度オフセット電圧が検出されて出力回路３が遮断され、オフセット電圧が検出された旨が表示手段６に表示されるため、その原因を取り除いてから、音響装置の電源を再投入すればよい。
【００２９】
一方図３及び図４は本発明の第２の実施の形態を示すもので、次に説明する。
【００３０】
なお前記第１の実施の形態と同一部分は同一符号を付して、その説明は省略する。
【００３１】
前記第１の実施の形態では、出力回路３で発生したオフセット電圧を検出した時点で、音量調節手段のボリューム値を所定値の例えば１３に設定したが、第２の実施の形態では、出力回路３に発生したオフセット電圧を制御手段５が検出して出力回路３が停止された後、音響装置の電源を再投入した時点で音量調節手段２のボリューム値を所定値の１３に設定するようにしたもので、その際の作用を図４に示すフローチャートで説明する。
【００３２】
出力回路３でオフセット電圧が検出されて出力回路３が停止された後、ステップＳ１１でユーザが音響装置の電源を再投入すると、制御手段５はステップＳ１２でオフセット電圧を検出したときのボリューム値を音量調節手段２より検出して、ボリューム値が所定値（初期値）の例えば１３以下であるかを判定し、１３以上の例えば１４から３３の範囲であればステップＳ１３へ進む。
【００３３】
制御手段５は、ステップＳ１３で音量調節手段２のボリューム値が所定値の１３以下となるように音量調整手段２を制御した後ステップＳ１５へ進み、オフセット電圧検出時のボリューム値が１３以下と判定された場合は、ステップＳ１４でそのボリューム値を保持した状態でステップＳ１５進む。
【００３４】
制御手段５は、ステップＳ１５で出力回路３を構成するパワーＩＣのスタンバイポートを制御して出力回路３を動作状態にしたら、ステップＳ１６へ進んで出力回路３に発生するオフセット電圧の検出を開始する。
【００３５】
これによって前記第１の実施の形態と同様に、オフセット電圧の検出により出力回路３が停止されたのを気付かずに音響装置の電源を再投入した場合でも、スピーカ４より大音量の音が出力されることがないため、スピーカ４の寿命に影響を及ぼしたり、ユーザに不快感を与えるのを未然に防止することができるようになる。
【００３６】
なお第１の実施の形態では、出力回路３で発生したオフセット電圧を検出した時点で、音量調節手段のボリューム値を所定値に設定し、第２の実施の形態では、出力回路３に発生したオフセット電圧を制御手段５が検出して出力回路３が遮断された後、音響装置の電源を再投入した時点で音量調節手段２のボリューム値を所定値に設定するようにしたが、両方の制御を併せて行うようにしても勿論よい。
【００３７】
【発明の効果】
本発明は以上詳述したように、出力回路に発生したオフセット電圧を検出したときのボリューム値を音量調節手段より検出して、ボリューム値が所定値かを判定し、ボリューム値が所定値以上の場合は所定値または所定値以下となるように音量調節手段を制御するようにしたことから、オフセット電圧の検出により出力回路が停止されたのを気付かずに音響装置の電源を再投入した場合でも、スピーカより大音量の音が出力されることがないため、スピーカの寿命に影響させたり、ユーザに不快感を与えるのを未然に防止することができるようになる。
【図面の簡単な説明】
【図１】本発明の第１の実施の形態になる音響装置のブロック図である。
【図２】本発明の第１の実施の形態になる音響装置の作用を示すフローチャートである。
【図３】本発明の第２の実施の形態になる音響装置のブロック図である。
【図４】本発明の第２の実施の形態になる音響装置の作用を示すフローチャートである。
【符号の説明】
１      ソース
２      音量調節手段
３      出力回路
４      スピーカ
５      制御手段
６      表示手段
【図１】
2004289724.tif 000003
【図２】
2004289724.tif 000004
【図３】
2004289724.tif 000005
【図４】
2004289724.tif 000006